(57)【特許請求の範囲】
【請求項１】
床面等に対して移動可能な支柱Ｂと、
該支柱に対して上下方向に移動可能に取付けられた上下動管１４と、
該上下動管の上端にフード式頭髪促進装置等の促進装置が取付けられる基板１１と、
該基板に上端が固定され他端が前記支柱内に収容されている弾性部材１３によって上方に向かってバネ付勢されている軸杆１２と、
前記支柱に対して当接、離開可能に前記上下動管に取付けられたブレーキ９と、
前記基板に対して回転自在に取付けられると共に一端にハンドル１６が取付けられた回転軸１５と、
該回転軸の回転に伴って前記上下動管に沿って上下動し、かつ、前記ハンドル操作によって前記ブレーキを前記上下動管側に押圧する凸面１７ａが形成されたブレーキ押え１７と、
から構成したことを特徴とする理美容器具の上下動装置。
【請求項２】
床面等に対して移動可能な支柱Ｂと、
該支柱に対して上下方向に移動可能に取付けられた上下動管１４と、
該上下動管の上端にフード式頭髪促進装置等の促進装置が取付けられる基板１１と、
該基板に上端が固定され他端が前記支柱内に収容されている弾性部材１３によって上方に向かってバネ付勢されている軸杆１２と、
前記支柱に対して当接、離開可能に前記上下動管に取付けられたブレーキ９と、
前記基板に対して回転自在に取付けられると共に一端にハンドル１６が取付けられた回転軸１５と、
該回転軸の回転に伴って前記上下動管に沿って上下動する上下動杆２１と、
該上下動杆に取付けられ、前記ハンドル操作によって前記上下動杆が上下動することで前記ブレーキを前記上下動管側に押圧する大径部２２ａあるいは離開させる小径部２２ｂとが形成されたブレーキ押え２２と、
から構成したことを特徴とする理美容器具の上下動装置。
【発明の詳細な説明】
【０００１】
【発明の属する技術分野】
本発明は理美容器具、例えば、頭髪促進装置の一例であるフード式頭髪促進装置におけるフードを上下動させ、かつ、所望の高さ位置で固定することができるようにした理美容器具の上下動装置に関する。
【０００２】
【従来の技術】
従来におけるこの種の上下動装置としては、キャスターが取付けられた基台から立設された支柱に対してスプリングによって上下動可能に嵌挿された上下動杆を、前記支柱に取付けられたネジ機構によって支柱と上下動杆の締め付けを緩め上下動可能となし、所望高さ位置において前記ネジ機構を締め付けて両者を固定するものであった。
【０００３】
【発明が解決しようとする課題】
ところで、前記したネジ機構によって支柱と上下動杆とを固定したものにあっては、ネジを緩めるという作業が困難であると共に、締め付け力が弱いと上下動杆が作業中に上昇したり下降したりして頭髪促進装置が被施術者の頭部に当たって怪我をさせたり、また、ネジ機構は比較的下方に位置しているため、施術者が屈みながらネジ調整を行わなければならず作業性が悪いといった問題があった。
【０００４】
本発明は前記した問題点を解決せんとするもので、その目的とするところは、頭髪処理装置、例えば、フードが取付けられている上方に配置されているハンドル操作によって支柱と上下動杆との締め付けや緩め作業を行えるので、頭髪促進装置の上下動作業が簡単であり、また、締め付けが確実に行えることから作業中に頭髪促進装置がみだりに上下動することがない頭髪処促進装置の上下動装置を提供せんとするにある。
【０００５】
【課題を解決するための手段】
本発明の理美容用器具の上下動装置は前記した目的を達成せんとするもので、その請求項１の手段は、床面等に対して移動可能な支柱と、該支柱に対して上下方向に移動可能に取付けられた上下動管と、該上下動管の上端にフード式頭髪促進装置等の促進装置が取付けられる基板と、該基板に上端が固定され他端が前記支柱内に収容されている弾性部材によって上方に向かってバネ付勢されている軸杆と、前記支柱に対して当接、離開可能に前記上下動管に取付けられたブレーキと、前記基板に対して回転自在に取付けられると共に一端にハンドルが取付けられた回転軸と、該回転軸の回転に伴って前記上下動管に沿って上下動し、かつ、前記ハンドル操作によって前記ブレーキを前記上下動管側に押圧する凸面が形成されたブレーキ押えとから構成したものである。
【０００６】
また、請求項２の手段は、床面等に対して移動可能な支柱と、該支柱に対して上下方向に移動可能に取付けられた上下動管と、該上下動管の上端にフード式頭髪促進装置等の促進装置が取付けられる基板と、該基板に上端が固定され他端が前記支柱内に収容されている弾性部材によって上方に向かってバネ付勢されている軸杆と、前記支柱に対して当接、離開可能に前記上下動管に取付けられたブレーキと、前記基板に対して回転自在に取付けられると共に一端にハンドルが取付けられた回転軸と、該回転軸の回転に伴って前記上下動管に沿って上下動する上下動杆と、該上下動杆に取付けられ、前記ハンドル操作によって前記上下動杆が上下動することで前記ブレーキを前記上下動管側に押圧する大径部あるいは離開させる小径部とが形成されたブレーキ押えとから構成したものである。
【０００８】
【発明の実施の形態】
以下、本発明に係るフード式頭髪促進装置の一実施の形態を図１と共に概略について説明する。
Ａはキャスター付きの基台、Ｂは該基台１に固定された支柱、Ｃは該支柱Ｂに対して後述する上下動機構、水タンクおよび水タンク内の水を蒸気化する蒸気発生機、送風機、給水タンク内の水を排水した時に受けるドレーンカップ、後述するフードＤに滞留した湯分を受けるドレーン受け等が内蔵され、また、蒸気発生機の駆動時間や送風機の駆動時間等を設定するための操作部が設けられた本体にして、全体がカバーによって覆われている。
【０００９】
Ｄは前記本体Ｃの上部に上下方向に回動および固定可能に取付けられたフード、Ｅは前記本体Ｃの同じく上部に固定され、被施術者が椅子等に着座した状態で首の後ろ側に当接させ、前記フードＤに対する被施術者の頭部位置決めを行うためのネック受けである。
【００１０】
次に、本体Ｃの具体的構成を図２、図３と共に説明する。
先ず、上下動機構１の第１の実施の形態を図２と共に説明するに、１１は前記フードＤおよびネック受けＥが取付けられる基板にして、１２は前記基板１１の裏面から垂下された軸杆１２にして、該軸杆１２の下端が前記支柱Ｂ内に挿入されたスプリング等の弾性部材１３の上端に当接され、常時、基板１１を上方に向かってバネ付勢している。
【００１１】
また、前記基板１１の裏面には前記支柱Ｂに対して摺動自在に上下動管１４が取付けられている。１５は前記基板１１に対して回転自在に取付けられた回転軸にして、先端にはハンドル１６が取付けられている。そして、前記回転軸１５には前記上下動管１４に対してフリーな断面がコの字状のブレーキ押え１７がリンク１８を介して取付けられている。従って、ブレーキ押え１７はハンドル１６を回転するとリンク１８を介して上下動管１４に対して上下動することとなる。
【００１２】
前記ブレーキ押え１７には下端部に上下動管１４に向かって近接する形状の凸面１７ａが長手方向に沿って形成されている。１９は前記上下動管１４に対して直交する方向に対してのみ移動可能に取付けられたブレーキにして、支柱Ｂに摺接するブレーキパッド１９ａが取付けられ、また、ブレーキ押え１７はブレーキ１９を介して上下動管１４に対して上下方向のみ移動可能に取付けられている。
【００１３】
このように構成した上下動機構１にあっては、図２に示すようにハンドル１６を水平にして上下動管１４に取付けられているブレーキ１９がブレーキ押え１７の凸面１７ａによって支柱Ｂ側に移動した状態とすると、ブレーキパッド１９ａが支柱Ｂに圧接される。これにより、上下動管１４は弾性部材１３のバネ力に抗して支柱Ｂに対して固定状態となる。
【００１４】
そして、基板１１を上昇させるには、ハンドル１６を回転して図２の状態から略９０度回転すると、ブレーキ押え１７が上下動管１４に対して上昇するので、該ブレーキ押え１７の凸面１７ａがブレーキ１９から離脱して、ブレーキパッド１９ａと支柱Ｂとの圧接力は解除されて上下動管１４は上下動方向がフリーな状態となる。
【００１５】
この状態において、上下動管１４は弾性部材１３によって上方向にはバネ力が作用しているので、上下動管１４を容易に上昇させることができ、また、下降させるには弾性部材１３のバネ力に抗して押し下げることで下降させることができる。そして、所望の上昇位置あるいは下降位置においてハンドル１６を元の位置に回転することで、前記した動作によってブレーキパッド１９ａが支柱Ｂに圧接されるので、その位置において支柱Ｂに対して固定することができる。
【００１６】
次に、図３に示す他の上下動機構２について説明する。なお、前記した図２の実施の形態と同一符号は同一部材を示し説明は省略する。
この実施の形態にあっては、支柱Ｂに対して上下動管１４をブレーキ１９によって固定する手段として、ブレーキ押え１７の凸面１７ａによってブレーキパッド１９ａを支柱Ｂに対して圧接するものである。
【００１７】
これに対して第２の実施の形態のものは、ハンドル１６の回動によってリンク１８を介して上下動する上下動軸杆２１に円錐状ブレーキ押え２２を取付け、この円錐状ブレーキ押え２２の大径部２２ａによってブレーキ１９のブレーキパッド１９ａを支柱Ｂ側に圧接させ、小径部２２ｂがブレーキ１９に位置した時には前記圧接力を解除するようにしたものである。なお、２３はブレーキ１９を上下動管１４に取付けるための取付具にして、この取付具２３に上下動管２１はガイドされている。
【００１８】
次に、本体Ｃにおける蒸気発生機３を図１と共に説明する。
本体Ｃのケース内には、前記上下動管１４に固定された蒸気発生手段３が取付けられており、該蒸気発生機３により発生した蒸気はフレキシブルパイプ３１を介してフードＤ内に導出される。前記蒸気発生手段３の下部には斜め上方から抜き差し可能な給水タンク３２が取付けられ、該給水タンク３２はケース内に収納した状態でケースの一部となるように構成されている。また、給水タンク３２の下部は、給水タンク受けに設置するとタンクの下面は開放状態となり、排水バルブ３３を開放することにより給水タンク３２内の水は排水されるように構成されている。
【００１９】
そして、排水バルブ３３の下面にはケースに対して着脱自在なドレーンカップ３３が配置されおり、作業終了時等において給水タンク３２内の水を排水バルブ３３を開放してドレーンカップ３４内に溜めて排水することが可能なように構成されている。
【００２０】
また、本体Ｃのケース内にはモータとファンからなる送風機４が前記上下動管１４に取付けられており、該送風機４からの冷風はフレキシブルパイプ４１を介して前記蒸気発生機３よりの蒸気を送るためのフレキシブルパイプ４１と上下方向に並列してフードＤ内に導出されている。
【００２１】
さらに、本体Ｃのケース内にはフードＤに供給され水となった蒸気を排出ための開口部の折り返しによって形成された水路７１ｂよりの水を溜めるためのドレーンタンク５が配置されており、前記水路７１ｂに連結されたパイプ５１の先端にねじ込みによって着脱自在に取付けられている。
【００２２】
また、本体Ｃのケースの上面には前記蒸気発生機３のオン・オフおよび発生時間、送風機４の駆動時および蒸気発生機３がオフ状態となってから送風機４への切り換えを自動的に制御するための制御回路を備えた操作部６が操作し易いように後傾するように形成されている。
【００２３】
次に、フードＤの構成を図４〜図７と共に説明する。
フードＤは固定フード７１と、該固定フード７１の前方において軸支された開閉フード７２から構成されており、固定フード７１の基部７１ａは上下動可能な前記基板１に立設された一対の起立板７３に対して回動自在で、かつ、水平状態（図４）と起立状態（図５）との２位置においてロック可能に軸支されている。
【００２４】
また、固定フード７１の開口部には折り返しされた水路７１ｂが全周にわたって形成されており、最も高さが低い位置において前記パイプ５１と連結される穴が開口されている。従って、水路７１ｂに溜まった水蒸気から水滴となった水は前記穴からパイプ５１を介してドレーンタンク５に溜まるようになっている。
【００２５】
さらに、前記固定フード７１の前記起立板７３側に前記蒸気発生機３のフレキシブルパイプ３１と送風機４のフレキシブルパイプ４１の先端が開口して取付けられており、かつ、これらのフレキシブルパイプ３１，４１と対向する位置の固定フード７１の内周面に拡散板７１ｃが取付けられ、この拡散板７１ｃによって蒸気および冷風は直接的に被施術者の後頭部に当たることなく全周から頭部に当たるようになっている。
【００２６】
開閉フード７２は断熱効果を得るために全体が二重構造に形成されており、前記固定フード７１の先端側において軸７２ａによって開閉自在に軸支され、かつ、巻バネ７２ｂによって開閉フード７２が閉じる方向にバネ付勢されている。そして、開閉フード７２は閉じた状態において固定フード７１の基部側においてロック可能に形成されている。なお、ロック機構としてマグネットを固定フード７１側に取付け、開閉フード７２側に磁性体を取付けてもよく、あるいは公知のロック、アンロックが可能なロック機構でもよい。
【００２７】
次に、ネック受けＥの詳細を図４、図５と共に説明する。
このネック受けＥは前記起立板７３に基部側が固定されたアーム部８１と、該アーム部８１の先端に固定されたネック当接部８２とより構成され、被施術者の後ろ側首にネック当接部８２に当接させた状態において、フードＤを頭部に被せるとフードＤの略中央に被施術者の頭部が位置するようになる。なお、ネック当接部の形状は円柱状に形成し、かつ、弾性部材で構成することで、枕パッドとして利用できる。
【００２８】
次に、前記した構成に基づいて被施術者の頭髪促進を行う場合について説明する。
先ず、フードＤを上方に回動した状態においてトリートメント等の第１薬液を毛髪に塗布した被施術者を椅子に座らせる。次いで、ハンドル１６を回動してブレーキ押え１７あるいは円錐状ブレーキ押え２１を下降させ、ブレーキ１９のブレーキパッド１９ａを支柱Ｂから離して本体Ｃの高さ調整を行い、ネック受けＥのネック当接部８２が被施術者の後ろ側首に位置するように被施術者の頭部位置を調整する。そして、ハンドル１６を元の位置に回動してブレーキパッド１９ａを支柱Ｂに対して圧接させて本体Ｃを支柱に対して固定する。
【００２９】
この状態において、フードＤを基板１１に対して基部を回動させて被施術者の頭部に被せ、操作部６を操作して前記塗布した薬液に適した時間と、それに続く送風機の動作時間をセットする。これにより、蒸気発生機３から発生した水蒸気はフレキシブルパイプ３１を介してフードＤ内に供給され、固定フード７１内に取付けられた拡散板７１ｃによってフードＤ内全体に噴霧されて頭髪に高温の湿りけを与え頭髪の促進が行われる。
【００３０】
そして、前記セットした蒸気発生機３の動作が終了すると、続いて送風機４が動作して冷風がフレキシブルパイプ４１を介してフードＤ内に供給され、前記したと同様に拡散板７１ｃによってフードＤ内全体から冷風を頭髪に吹きつけて嵌挿が行われる。
【００３１】
このように第１薬液による頭髪促進が終了したなら、開閉フード７２と固定フード７１とのロックを解除して、開閉フード７２を前方に向かって開放して被施術者の後部が後方に位置する施術者から見えるようにする。なお開閉フード７２は一度開放されるとスプリング７２ｂのバネ力によって開放状態が保持される。
【００３２】
そして、施術者が後方より第２薬液を塗布した後、開閉フード７２を閉めロックして再び操作部６によって水蒸気の発生時間および送風機４の冷風時間をセットして頭髪促進を行い、該頭髪促進が終了したならハンドル１６を回動してブレーキパッド１９ａを支柱Ｂから離して本体Ｃを上昇させ、被施術者を椅子から退去させて全ての頭髪促進は終了する。
【００３３】
なお、前記したフードＤにおける固定フード７１に対する開閉フード７２は、固定フード７１の前方において上下方向に開閉する場合を示したが、開閉フード７２は左右方向に開閉するものであったり、開閉フード７２を左右方向に２分割してそれぞれを左右方向にスライドさせて被施術者の頭部を後方から見えるようにしてもよい。
【００３４】
【発明の効果】
本発明は前記したように、上端にフード式頭髪促進装置等の促進装置が取付けられ、かつ、支柱に対して上下動可能な上下動管にブレーキを取付け、ハンドルを回転することによりブレーキをブレーキ制御手段によって前記支柱に対して圧接および離開させるようにしたので、前記ハンドル操作によって支柱と上下動杆との締め付けや緩め作業を行え、従って、頭髪促進装置の上下動作業が簡単であり、また、締め付けが確実に行えることから作業中に頭髪促進装置がみだりに上下動することがない等の効果を有するものである。
【図面の簡単な説明】
【図１】本発明に係るフード式頭髪促進装置の全体を示す側面図である。
【図２】同上における上下動機構の断面図である。
【図３】他の実施の形態の上下動機構の断面図である。
【図４】フードを被せる状態の斜視図である。
【図５】フードを立ち上げた状態の斜視図である。
【図６】フードにおける開閉フードを閉じた状態の斜視図である。
【図７】同上の開閉フードを開放した状態の斜視図である。
【符号の説明】
Ａ        基台
Ｂ        支柱
Ｃ        本体
Ｄ        フード
Ｅ        ネック受け
１        上下動機構
１１      基板
１２      軸杆
１３      弾性部材
１４      上下動管
１６      ハンドル
１７      ブレーキ押え（ブレーキ制御手段）
１８      リンク
１９      ブレーキ
１９ａ    ブレーキパッド
２１      上下動軸杆
２２      円錐状ブレーキ押え（ブレーキ制御手段）
【図１】
0003993779.tif 000002
【図２】
0003993779.tif 000003
【図３】
0003993779.tif 000004
【図４】
0003993779.tif 000005
【図５】
0003993779.tif 000006
【図６】
0003993779.tif 000007
【図７】
0003993779.tif 000008